(57)【要約】      （修正有）【課題】衣服を着用させる対象動物が胴体や足を動かして暴れても、容易に衣服の着脱が可能になる動物用衣服を提供する。【解決手段】左身頃１００３の左外側と右身頃１００５の右外側とで構成する前開き部１００７を有し、前記左外側と右外側とが分離されて前記前開き部が開閉自在である服地１００１と、前記左身頃の左外側から前記右身頃の右外側まで背中側を経由した胴回り経路に沿って、前記服地に取り付けられ、前記前開き部の所定位置を閉じた被覆形状に前記服地を保持する、1又は複数の形状保持部材１００８，１００９と、を構成要素に含む動物用衣服。【選択図】図１
2020080681.tif 000002
【特許請求の範囲】
【請求項１】
予め設定した対象動物の胴部を被覆する衣服であって、
ａ）左身頃の左外側と右身頃の右外側とで構成する前開き部を有し、該前開き部が開放となっている服地と、
ｂ）前記左身頃の左外側から前記右身頃の左外側まで背中側を経由した胴回り経路に沿って、前記服地に取り付けられ、前記前開き部の所定位置を閉じた被覆形状に前記服地を保持する、1又は複数の形状保持部材と、
を構成要素に含み、
前記形状保持部材は、外力により前記前開き部を少なくとも前記胴回り経路に対応する胴部が作る断面を背中側方向から平行投影した投影図の長さより開いた状態まで変形自在な素材から形成されることを特徴とする動物用衣服。
【請求項２】
前記胴回り経路は、前記対象動物の肩と股関節との間に設定した胴体断面を囲む１又は複数の経路を含むことを特徴とする請求項１に記載の動物用衣服。
【請求項３】
前記形状保持部材を形成する材料には、前記前開き部を閉じた被覆形状を記憶する形状記憶素材が含まれていることを特徴とする請求項１に記載の動物用衣服。
【請求項４】
前記形状保持部材を形成する材料には、前記前開き部を閉じた被覆形状に成形されたピアノ線、ばね鋼、硬鋼、汎用エンジニアプラスティックスから選ばれる少なくとも１つを含む、外力に対して変形し外力が除かれれば復元する弾性を有する弾性素材が含まれていることを特徴とする請求項１に記載の動物用衣服。
【請求項５】
前記形状保持部材を形成する材料には、可塑性素材が含まれていることを特徴とする請求項１に記載の動物用衣服。
【請求項６】
前記形状保持部材は、肌保護部材によって覆われており、前記対象動物の肌が前記形状保持部材に接触することを防ぐことを特徴とする請求項１に記載の動物用衣服。
【請求項７】
前記服地は、前記左身頃の外側が前記対象動物の左前脚を回避する左湾曲部を有し、前記右身頃の外側が前記対象動物の右前脚を回避する右湾曲部を有し、前記被覆形状において該左湾曲部と該右湾曲部の間は開放されていることを特徴とする請求項１に記載の動物用衣服。
【請求項８】
前記胴回り経路は、前記対象動物の首肩部に設定した胴体断面を囲む１又は複数の経路及び前記対象動物の肩と股関節との間に設定した胴体断面を囲む１又は複数の経路を含むことを特徴とする請求項７に記載の動物用衣服。
【請求項９】
前記服地は防水素材から形成され、前記衣服は防雨衣であることを特徴とする請求項１に記載の動物用衣服。
【請求項１０】
前記服地は防水加工され、前記衣服は防雨衣であることを特徴とする請求項１に記載の動物用衣服。
【発明の詳細な説明】
【技術分野】
【０００１】
本発明は、動物用衣服、特に着脱が容易な動物用衣服に関するものである。
【背景技術】
【０００２】
従来、動物用衣服は、前足もしくは後ろ足あるいは前後の四足を通す足通し孔が設けられた左右の身頃から構成され、対象動物の足を通して着衣させるものであった。
左身頃の左外側と右身頃の右外側との合わせ部は、着衣及び脱衣を容易にするために、スナップボタン、ホック、マジックテープ（登録商標）などによって着脱自在に留める方式が採用されていた。
【０００３】
しかしながら、対象動物が動くと着衣及び脱衣が難しくなる。特に着衣において、対象動物が暴れると、脚を足通し孔に通すことや引き抜くことが大変難しくなり、着脱を困難にする問題があった。
【０００４】
足通し孔を設けず、対象動物の背側から被せて、前足と後ろ足の間の腹側に設けた合わせ部でスナップボタンやマジックテープ（登録商標）で左右身頃の外側同士を合わせた状態で留める方式の動物用衣服もあるが、対象動物が暴れると、合わせ部を留め外しすることが困難となる問題は残り、着衣困難の問題は十分に解決されていなかった。
【０００５】
特許文献１には、背部身頃、胸部身頃、背部身頃と胸部身頃との間に配置された尻当て部と、背部身頃のワイヤーとを備える動物用衣服の発明が開示されている。この発明によると、背部身頃を背部に置いた状態で胸部身頃を胸部の下方に配置し、四足動物に動物用衣服を着せることができる。胸部から動物用衣服を着せることにはならず、動物用衣服を着せ易くなっている。
【０００６】
しかしながら、この方式でも、胸部身頃の両端に接続部（合わせ部）を備え、両端を留める必要があり、着脱困難の問題が十分に解決されていなかった。
【先行技術文献】
【特許文献】
【０００７】
【特許文献１】特開２０１７−１８４６２４号公報
【発明の概要】
【発明が解決しようとする課題】
【０００８】
解決しようとする課題は、衣服を着用させる対象動物が胴体や足を動かして暴れても、容易に衣服の着脱ができる動物用衣服を提供することである。
【課題を解決するための手段】
【０００９】
本発明の第一の観点によれば、予め設定した対象動物の胴部を被覆する衣服であって、
ａ）左身頃の左外側と右身頃の右外側とで構成する前開き部を有し、前記左外側と右外側とが分離されて前記前開き部が開閉自在である服地と、
ｂ）前記左身頃の左外側から前記右身頃の右外側まで背中側を経由した胴回り経路に沿って、前記服地に取り付けられ、前記前開き部の所定位置を閉じた被覆形状に前記服地を保持する、1又は複数の形状保持部材と、
を構成要素に含み、
前記形状保持部材は、外力により前記前開き部を少なくとも前記胴回り経路に対応する胴部の断面を背中側方向から見た平行投影の投影図の長さまで開いた状態まで変形自在な素材から形成されることを特徴とする動物用衣服が提供される。
【００１０】
対象動物に着衣させる場合は、その動物の飼い主等が前開き部に力を加えて左右に開く方向に少なくとも胴回り経路に対応する胴部の断面を背中側方向から見た平行投影の投影図の長さまで形状保持部材を変形させて、その動物の背中側から被せて、前開き部を閉じた状態に戻すだけで着衣させることができる。ここでは、従来のようなスナップボタン、ホック、マジックテープ（登録商標）などにより前合わせ部を止めるような煩わしい作業が不要である。
さらに対象動物に脱衣させる場合は、その動物の飼い主等が前開き部に力を加えて左右に開く方向に形状保持部材を変形させて、その動物の背中側から前記動物用衣服を引っ張るだけで、前開き部から対象動物を抜き出すように脱衣させることができる。ここでは、従来のようなスナップボタン、ホック、マジックテープ（登録商標）などの合わせ部を止める機構を外すような煩わしい作業が不要である。
【００１１】
ここで前開き部は、身頃の左右における側端に沿った側部から構成され、従来方式の動物用衣服では、左右の側部同士をスナップボタン、ホック、マジックテープ（登録商標）などにより止めて着衣させる合わせ部に相当する部位を指す用語として用いる。
【００１２】
前記胴回り経路は、前記対象動物の肩と股関節との間に設定した胴体断面を囲む1又は複数の経路を含むとしてもよい。
このような経路を選ぶことにより、着衣状態において、前記形状保持部材が前記服地を胴部にフィットさせる効果がある。
また、着衣や脱衣において、前記対象動物の脚と前記形状保持部材との干渉を少なくして、着衣や脱衣を容易にする効果がある。
【００１３】
前記形状保持部材を形成する材料には、前記前開き部を閉じた被覆形状を記憶する形状記憶素材が含まれているとしてもよい。
ここで形状記憶素材として、対象動物の体温では記憶した被覆形状に復元する形状記憶合金又は形状記憶樹脂が採用可能である。
対象動物に着衣させる場合は、その動物の飼い主等が前開き部に力を加えて左右に開く方向に少なくとも胴回り経路に対応する胴部の断面を背中側方向から見た平行投影の投影図の長さまで形状保持部材を変形させて、その動物の背中側から被せて、前開き部に加えていた力を抜くだけで、形状記憶素材の復元力により前開き部は閉じ、着衣させることができる。ここでは、従来のようなスナップボタン、ホック、マジックテープ（登録商標）などにより合わせ部を止めるような煩わしい作業は勿論のこと、前開き部を戻す方向に変形させる作業すら不要である。
さらに対象動物に脱衣させる場合は、その動物の飼い主等が前開き部に力を加えて左右に開く方向に変形させて、その動物の背中側から前記動物用衣服を引っ張るだけで、前開き部から対象動物を抜き出すように脱衣させることができる。ここでは、従来のようなスナップボタン、ホック、マジックテープ（登録商標）などの合わせ部を止める機構を外すような煩わしい作業が不要である。
【００１４】
前記形状保持部材を形成する材料には、前記前開き部を閉じた被覆形状に成形されたピアノ線、ばね鋼、硬鋼、汎用エンジニアプラスティックスから選ばれる少なくとも１つを含む、外力に対して変形し外力が除かれれば復元する弾性を有する弾性素材が含まれているとしてもよい。
対象動物に着衣させる場合は、その動物の飼い主等が前開き部に力を加えて左右に開く方向に少なくとも胴回り経路に対応する胴部の断面を背中側方向から見た平行投影の投影図の長さまで形状保持部材を変形させて、その動物の背中側から被せて、前開き部に加えていた力を抜くだけで弾性素材の弾性により、前開き部は閉じ、着衣させることができる。ここでは、従来のようなスナップボタン、ホック、マジックテープ（登録商標）などにより合わせ部を止めるような煩わしい作業は勿論のこと、前開き部を戻す方向に変形させる作業すら不要である。
さらに対象動物に脱衣させる場合は、その動物の飼い主等が前開き部に力を加えて左右に開く方向に形状保持部材を変形させて、その動物の背中側から前記動物用衣服を引っ張るだけで、前開き部から対象動物を抜き出すように脱衣させることができる。ここでは、従来のようなスナップボタン、ホック、マジックテープ（登録商標）などの合わせ部を止める機構を外すような煩わしい作業が不要である。
【００１５】
前記形状保持部材を形成する材料には、可塑性素材が含まれているとしてもよい。
可塑性素材としては、スチール、ステンレス、銅、アルミなどで作られた針金が採用可能である。
対象動物に着衣させる場合は、その動物の飼い主等が前開き部に力を加えて左右に開く方向に少なくとも胴回り経路に対応する胴部の断面を背中側方向から見た平行投影の投影図の長さまで形状保持部材を変形させて、その動物の背中側から被せて、前開き部に閉じる方向に力を加えて変形させ着衣させることができる。ここでは、従来のようなスナップボタン、ホック、マジックテープ（登録商標）などにより合わせ部を止めるような煩わしい作業が不要である。
さらに対象動物に脱衣させる場合は、その動物の飼い主等が前開き部に力を加えて左右に開く方向に形状保持部材を変形させて、その動物の背中側から前記動物用衣服を引っ張るだけで、前開き部から対象動物を抜き出すように脱衣させることができる。ここでは、従来のようなスナップボタン、ホック、マジックテープ（登録商標）などの合わせ部を止める機構を外すような煩わしい作業が不要である。
【００１６】
前記形状保持部材は、肌保護部材によって覆われており、前記対象動物の肌が前記形状保持部材に接触することを防ぐとしてもよい。
前記形状保持部材は、その材料の性質等により前記対象動物の肌に障害を与える場合があり、肌保護部材によって覆うことにより、前記対象動物の肌を保護することが出来る。
【００１７】
前記服地において、前記左身頃の外側は前記対象動物の左前足を回避する左湾曲部を有し、前記右身頃の外側は前記対象動物の右前足を回避する右湾曲部を有し、前記被覆形状において該左湾曲部と該右湾曲部の間は開放されているとしてもよい。
【００１８】
このような構成を採用することにより、対象動物の首肩まで覆う服地を採用しても着脱させる場合に従来問題となっていた、足通し孔への足の通し／抜き取り及び合わせ部の留め／外しという煩わしい作業が不要となる。特に動物が前脚を動かして暴れても、その脚が衣服に干渉することが少なく、容易に着脱させることが出来る。
ここでの胴回り経路は、前記対象動物の首肩部に設定した胴体断面を囲む１又は複数の経路及び前記対象動物の肩と股関節との間に設定した胴体断面を囲む１又は複数の経路を含むとしてもよい。
このような経路の形状保持部材を採用することにより、対象動物の首肩部まで服地をフィットさせることができる。
【００１９】
前記服地は防水素材から形成され、前記衣服は防雨衣であるとしてもよい。
【００２０】
前記服地は防水加工され、前記衣服は防雨衣であるとしてもよい。
【発明の効果】
【００２１】
本発明の動物用衣服は、前開き部が開閉自在である服地と、この前開き部を閉じた被覆形状に前記服地を保持する形状保持部材と、を構成要素に含むため、対象動物への着脱が容易になるという利点がある。
【図面の簡単な説明】
【００２２】
【図１】図１は、本実施例の動物用衣服の外観図である。
【図２】図２は、本実施例の動物用衣服を着用した対象動物の外観図である。
【図３】図３は、本実施例の動物用衣服に採用する衣服を平面に展開した、対象動物の肌に触れる内面の展開図である。
【図４】図４は、服地に取り付けた形状保持部材の取付断面図である。
【図５】図５は、本実施例の動物用衣服を対象動物に着衣させる手順を示したフローチャートである。
【図６】図６は、動物用衣服の前開き部に対象動物の背中側を滑り込ませようとしているところを示したイメージ図である。
【図７】図７は、従来の動物用衣服を着衣する場合の手順を示したフローチャートである
【図８】図８は、本実施例の形状保持部材の材料を針金とした場合の着衣手順を示したフローチャートである。
【図９】図９は、本実施例の動物用衣服を対象動物に脱衣させる手順を示したフローチャートである。
【図１０】図１０は、従来の動物用衣服を脱衣する場合の手順を示したフローチャートである。
【図１１】図１１は、実施例２の動物用衣服の外観図である。
【図１２】図１２は、本実施例の動物用衣服を着用した対象動物の外観図である。
【図１３】図１３は、本実施例の動物用衣服に採用する衣服を平面に展開した、対象動物の肌に触れる内面の展開図である。
【図１４】図１４は、服地に取り付けた第１から第３の形状保持部材の取付断面図である。
【図１５】図１５は、本実施例の動物用衣服を対象動物に着衣させる手順を示したフローチャートである。
【図１６】図１６は、動物用衣服の前開き部に対象動物の背中側を滑り込ませようとしているところを示したイメージ図である。
【図１７】図１７は、従来の動物用衣服を着衣する場合の手順を示したフローチャートである。
【図１８】図１８は、本実施例の形状保持部材の材料を針金とした場合の着衣手順を示したフローチャートである。
【図１９】図１９は、本実施例の動物用衣服を対象動物に脱衣させる手順を示したフローチャートである。
【図２０】図２０は、従来の動物用衣服を脱衣する場合の手順を示したフローチャートである。
【発明を実施するための形態】
【００２３】
動物用衣服の着脱を容易にするという目的を、服地に形状保持部材を構成要素に含む動物用衣服を提供することにより実現した。以下、実施例により、本発明の実施形態を説明していく。
【実施例１】
【００２４】
図１は、本実施例の動物用衣服の外観図である。
１０００Aは、本実施例の動物用衣服の対象動物の形状と大きさを示すイメージである。
１０００Bは、対象動物用の腹側を覆う部分を正面とする方向から見た動物用衣服の外観図である。
１０００Cは、対象動物用の背中側を覆う部分を正面とする方向から見た動物用衣服の外観図である。
【００２５】
服地１００１は、左身頃１００３と右身頃１００５とから構成される。左身頃１００３の左外側１００４と右身頃１００５の右外側１００６とによって、服地の前開き部１００７が構成される。
服地は、保温素材を採用することとする。ここで服地を防水加工としたり、防水素材とすれば、本実施例の動物用衣服を雨衣とすることができる。
【００２６】
破線で示した第1の形状保持部材１００８は、矢線１０１０で示す位置を通る対象動物の肩１０１１と股関節１０１２との間に設定した胴体断面を囲む経路に対応する形状に成形され、この経路に対応する服地の位置に取り付けられている。
破線で示した第2の形状保持部材１００９は、矢線１０１３で示す位置を通る、対象動物の肩１０１１と股関節１０１２との間に設定した胴体断面を囲む経路に対応する形状に成形され、この経路に対応する服地の位置に取り付けられている。
ここでは、対象動物の肩と股関節との間に設定した２つの胴体断面を囲む経路に対応する形状に成形され、これらの経路に対応する服地の位置に取り付けられた２つの形状保持部材を採用しているが、本発明の形状保持部材の構成はこれに限定されるものではない。1又は3以上の経路を対象動物の肩と股関節との間に設定して、設定した1又は3以上の胴体断面を囲む経路に対応する形状に成形された形状保持部材をこの経路に対応する服地の位置に取り付けてもよい。
【００２７】
第1の形状保持部材１００８は、左身頃１００３の左外側１００４の端部から右身頃１００５の右外側１００６の端部までを背中側を覆う服地部分を通っている。ここで左身頃の左外側の端部と右身頃の右外側の端部は接続していないので、外力によって前開き部１００７を開く方向に変形させることができる。
第2の形状保持部材１００９は、左身頃１００３の左外側１００４の端部から右身頃１００５の右外側１００６の端部までを背中側を覆う服地部分を通っている。ここで左身頃の左外側の端部と右身頃の右外側の端部は接続していないので、外力によって前開き部１００７を開く方向に変形させることができる。
【００２８】
（着衣状態）
図２は、本実施例の動物用衣服を着用した対象動物の外観図である。
破線で示した対象動物２００１を本実施例の動物用衣服２００２を着衣した状態を側面から見た様子を示している。
ここでは、断面が楕円である筒状の被覆形状を採用しているが、本実施例の被覆形状はこれに限定されるものではない。予め設定した対象動物胴回りの型をとって被覆形状を決定し、断面を対象動物の胴体断面に近づけてもよい。
【００２９】
（展開図）
図３は、本実施例の動物用衣服に採用する衣服を平面に展開した、対象動物の肌に触れる内面の展開図である。
矢印３００１は、着衣状態において首肩方向を示し、矢印３００２は着衣状態において尻方向を示している。
左身頃の左外側１００４と右身頃の右外側１００６とは、展開された服地１００１の左右の端を占める。第1の形状保持部材１００８は、左外側１００４の端部から右外側１００６の端部の服地部分に取り付けられている。同様に、第２の形状保持部材１００８は、左外側１００４の端部から右外側１００６の端部までの服地部分に取り付けられている。
展開図では端と端とを結ぶ経路を形成する形状保持部材は、着衣状態では、対象動物の腹側位置する一方の端からスタートして、背中側を通って、これも腹側に位置するもう一方の端に戻る経路を形成する。      
【００３０】
（形状保持部材取付の詳細）
図４は、服地に取り付けた形状保持部材１００８及び１００９の取付断面図である。
服地４００１の内面に形状保持部材４００２を取り付ける。さらに対象動物の肌への刺激のない保護部材で覆いかぶせるように服地４００３に取り付ける。
ここでは、形状保持部材に保護部材を覆いかぶせて、2層とする方式を採用しているが、形状保持部材を中心に保護部材で囲んだ構造を採用し、2層構造とした部材を服地に取り付ける方式を採用してもよい。
【００３１】
（形状保持部材の材料の種類）
ここで形状保持部材の材料として、予め対象動物として設定した動物の胴体断面を覆う形状に成形した形状記憶合金を採用する。
ここでは、上記形状保持部材の材料として、形状記憶合金を採用したが、本発明の形状保持部材の材料は、形状記憶合金に限られるものではない。上記形状保持部材の材料として、ピアノ線、ばね鋼、硬鋼、汎用エンジニアプラスティックスを採用してもよい。
あるいは、上記形状保持部材の材料として、可塑性素材であるスチールで作られた針金を採用してもよい。さらには、スチールに替えて、ステンレス、銅、アルミなどで上記針金の素材としてもよい。
【００３２】
（着衣のフロー）
図５は、本実施例の動物用衣服を対象動物に着衣させる手順を示したフローチャートである。
前開き部開放ステップ５００１において、動物用衣服の前開き部を飼い主等が開く。
開放の広さは、第１の形状保持部材及び第2の形状保持部材のそれぞれに対応する胴部断面を背中側方向から見た平行投影の投影図の長さまでで十分である。ここで形状保持部材の材料として形状記憶金属を採用しているので、飼い主等が形状記憶合金の端部を左右に広げる方向に力を加えることによる変形で前開き部を開放させることが出来る。
【００３３】
被覆ステップ５００２において、対象動物の飼い主等が、この対象動物の背中側を前開き部に滑り込ませるようにして、動物用衣服が対象動物に被せる。
図６は、動物用衣服６００１の前開き部６００２に対象動物の背中側６００３を滑り込ませようとしているところを示したイメージ図である。矢印６００４は被せる動作の方向を示している。破線矢印６００５、６００６は、第２の形状保持部材に対応する胴部断面を背中側方向から見た平行投影するイメージを示している。線分６００７は、平行投影することによりできた投影図である。被覆させるためには、この線分である投影図の長さまで、前開き部を開ければ十分である。第２の形状保持部材も同様に対応する胴部断面の投影図の長さまで、開ければ十分である。
このようにして、対象動物に被せるだけで形状記憶合金の復元力により、形状保持部材が服地全体を対象動物の胴部にフィットする被覆形状に戻るので、５００１及び５００２で示した２つのステップだけで着衣が完了する。
ここで形状記憶合金に替えて、ピアノ線、ばね鋼、硬鋼、汎用エンジニアプラスティックスを採用した場合は、採用した素材の弾性力により被覆形状に復元する。
【００３４】
（従来の着衣フローチャート）
図７は、従来の動物用衣服を着衣する場合の手順を示したフローチャートである。
ここで従来の動物用衣服として想定するものは、前足を通す足通し孔が設けられた左右の身頃から構成され、左身頃の左外側と右身頃の右外側との合わせ部は、スナップボタンによって着脱自在に止める方式が採用されている動物用衣服である。
合わせ部開放ステップ７００１において、飼い主等が、動物用衣服の合わせ部を開く。
足通しステップ７００２において、飼い主等が、対象動物の前足を足通し孔に通す。
被覆ステップ７００３において、飼い主等が、左右の身頃を対象動物に被せて被覆形状に整える。
合わせ部留めステップ７００４において、飼い主等が、合わせ部のスナップボタンを留めて、着衣を完了させる。
【００３５】
このような従来手順と比較すると、本実施例の動物用衣服の着衣手順において、従来の着衣手順における足通しステップと前合わせ留めステップを省くことが出来、従来よりも容易に着衣させることが出来る。ここで本実施例の前開き部は、従来の着衣手順における合わせ部に相当する、対象動物が被覆形状内に出入りさせるための部位である。
【００３６】
（本実施例の形状保持部材の材料を針金とした場合の着衣フローチャート）
図８は、本実施例の形状保持部材の材料を針金とした場合の着衣手順を示したフローチャートである。
前開き部開放ステップ８００１において、動物用衣服の前開き部を飼い主等が開く。
開放の広さは、第１の形状保持部材及び第2の形状保持部材のそれぞれに対応する胴回り経路に対応する胴部の断面を背中側方向から見た平行投影の投影図の長さまでで十分である。ここで形状保持部材の材料として可塑性素材であるスチールから作られた針金を採用しているので、飼い主等が針金の端部を左右に広げる方向に力を加えることによる変形で前開き部を開放することが出来る。
【００３７】
被覆ステップ８００２において、対象動物の飼い主等が、この対象動物の背中側を前開き部に滑り込ませるようにして、動物用衣服が対象動物に被せる。
前開き閉じステップ８００３において、動物用衣服の前開き部を飼い主等が閉じる。
ここで形状保持部材の材料として可塑性素材であるスチールから作られた針金を採用しているので、飼い主等が針金の端部に閉じる方向の力を加えることによる変形で前開き部を閉じることが出来る。
このようにして、対象動物に動物衣服を被せて、前開き部の針金に力を加えるだけで形状保持部材が服地全体を対象動物の胴部にフィットする被覆形状に変形できる。
尚、スチールに替えて、ステンレス、銅、アルミなどを上記針金の素材としても、形状保持部材に同様の機能を持たせることができる。
【００３８】
形状保持部材の材料に針金を採用した本実施例の動物用衣服の着衣手順において、従来の着衣手順における足通しステップを省略できる。また、単に前開き部の針金に力を加えるだけの前開き閉じステップは、従来の手順における合わせ部を留めるステップよりも容易な作業である。
【００３９】
（脱衣のフローチャート）
図９は、本実施例の動物用衣服を対象動物に脱衣させる手順を示したフローチャートである。
前開き部開放ステップ９００１において、動物用衣服の前開き部を飼い主等が開く。
開放の広さは、第１の形状保持部材及び第2の形状保持部材のそれぞれに対応する胴回り経路に対応する胴部の断面を背中側方向から見た平行投影の投影図の長さまでで十分である。ここで形状保持部材の材料として形状記憶金属を採用しているので、飼い主等が形状記憶合金の端部を左右に広げる方向に力を加えることによる変形で前開き部を開放することが出来る。
飼い主等が形状記憶合金の端部を左右に広げる方向に力を加えることによる変形で前開き部を開放することが出来る。
この手順は、形状保持部材の材料を可塑性素材である針金とした場合でも同様である。
【００４０】
引き抜きステップ９００２において、対象動物の飼い主等が、この対象動物の背中側から動物用衣服を引き出すことにより、動物用衣服を取り去ることができる。
このようにして、９００１及び９００２で示した２つのステップだけで脱衣が完了する。ここでは、形状保持部材の材料として可塑性素材から作られた針金を採用しても同様の手順で脱衣させることができる。
【００４１】
（従来の脱衣のフローチャート）
図１０は、従来の動物用衣服を脱衣する場合の手順を示したフローチャートである。
合わせ留め外しステップ１０００１において、飼い主等が、動物用衣服の合わせ部で留められたスナップボタンを外す。
足抜きステップ１０００２において、飼い主等が、対象動物の前足を足通し孔から抜く。
衣服取り去りステップ１０００３において、飼い主等が、対象動物から動物用衣服を取り去る。
【００４２】
このように本実施例の動物用衣服の脱衣手順において、従来の脱衣手順における足抜きステップを省くことができる。足抜きは、対象動物が暴れると、脱衣を困難にするので、足抜き手順の省略は、脱衣を顕著に容易にする効果がある。
また、合わせ留め外しは、スナップボタンを外す煩雑な作業を伴うのに比べ、前開き部開放は、単に前開き部を左右に外力を加えるだけの容易な作業である。したがって、合わせ留め外しから前開き部開放に作業に変更されることによって、脱衣手順を容易にする効果もある。
【実施例２】
【００４３】
（首肩経路を通る形状保持部材を採用した場合）
図１１は、実施例２の動物用衣服の外観図である。
１１０００Aは、本実施例の動物用衣服の対象動物の形状と大きさを示すイメージである。
１１０００Bは、対象動物用の腹側を覆う部分を正面とする方向から見た動物用衣服の外観図である。
１１０００Cは、対象動物用の背中側を覆う部分を正面とする方向から見た動物用衣服の外観図である。
【００４４】
服地１１００１は、左身頃１１００３と右身頃１１００５とから構成される。左身頃１１００３の左外側１１００４と右身頃１１００５の右外側１１００６とによって、服地の前開き部１１００７が構成される。左外側１１０４に設けられた湾曲部１１００８と右外側１１００６に設けられた湾曲部１１００９とは、前開き部が閉じられても対象動物の脚を拘束しないように開放状態を保つように設けられている。
服地は、保温素材を採用することとする。ここで服地を防水加工としたり、防水素材とすれば、本実施例の動物用衣服を雨衣とすることができる。
【００４５】
破線で示した第1の形状保持部材１１０１０は、矢線１１０１１で示す位置を通る対象動物の首肩１００１２に設定した胴体断面を囲む経路に対応する形状に成形され、この経路に対応する服地の位置に取り付けられている。
破線で示した第２の形状保持部材１１０１３は、矢線１１０１４で示す位置を通る対象動物の肩１１０１５と股関節１１０１６との間に設定した胴体断面を囲む経路に対応する形状に成形され、この経路に対応する服地の位置に取り付けられている。
破線で示した第３の形状保持部材１１０１７は、矢線１１０１８で示す位置を通る、対象動物の肩１１０１５と股関節１１０１６との間に設定した胴体断面を囲む経路に対応する形状に成形され、この経路に対応する服地の位置に取り付けられている。
ここでは、対象動物の首肩部に設定した胴体断面を囲む経路に対応する形状に成形され、この経路に対応する服地の位置に取り付けられた１つの形状保持部材と、対象動物の肩と股関節との間に設定した２つの胴体断面を囲む経路に対応する形状に成形され、これらの経路に対応する服地の位置に取り付けられた２つの形状保持部材を採用しているが、本発明の形状保持部材の構成はこれに限定されるものではない。複数の経路を対象動物の首肩部に設定し、1又は3以上の経路を対象動物の肩と股関節との間に設定して、設定した胴体断面を囲む経路に対応する形状に成形された形状保持部材をこれらの経路に対応する服地の位置に取り付けてもよい。
【００４６】
第１形状保持部材１１０１０は、左身頃１１００３の左外側１１００４の端部から右身頃１１００５の右外側１１００６の端部までを背中側を覆う服地部分を通っている。ここで左身頃の外側の端部と右身頃の外側の端部は接続していないので、外力によって前開き部１１００７を開く方向に変形させることができる。
第２の形状保持部材１１０１３は、左身頃１１００３の左外側１１００４の端部から右身頃１１００５の右外側１１００６の端部までを背中側を覆う服地部分を通っている。ここで左身頃の左外側の端部と右身頃の右外側の端部は接続していないので、外力によって前開き部１１００７を開く方向に変形させることができる。
第３の形状保持部材１１０１７は、左身頃１１００３の左外側１１００４の端部から右身頃１１００５の右外側１１００６の端部までを背中側を覆う服地部分を通っている。ここで左身頃の左外側の端部と右身頃の右外側の端部は接続していないので、外力によって前開き部１１００７を開く方向に変形させることができる。
【００４７】
（着衣状態）
図１２は、本実施例の動物用衣服を着用した対象動物の外観図である。
破線で示した対象動物１２００１を本実施例の動物用衣服１２００２を着衣した状態を側面から見た様子を示している。
ここでは、断面が楕円である筒状の被覆形状を採用しているが、本実施例の被覆形状はこれに限定されるものではない。予め設定した対象動物胴回りの型をとって被覆形状を決定し、断面を対象動物の胴体断面に近づけてもよい。
【００４８】
（展開図）
図１３は、本実施例の動物用衣服に採用する衣服を平面に展開した、対象動物の肌に触れる内面の展開図である。
矢印１３００１は、着衣状態において首肩方向を示し、矢印１３００２は着衣状態において尻方向を示している。
第１の形状保持部材１１０１０は、展開された服地１１００１の湾曲部１１００８、１１００９から首肩よりの部分に取り付けられている。第２の形状保持部材１１０１３は、上記湾曲部より尻側の胴体を覆う服地部分に取り付けられている。第３の形状保持部材１１０１７は、第２の形状保持部材よりもさらに尻側の覆う服地の下端に近い部分に取り付けられている。  
展開図では端と端とを結ぶ経路を形成する形状保持部材は、着衣状態では、対象動物の腹側位置する一方の端からスタートして、背中側を通って、これも腹側に位置するもう一方の端に戻る経路を形成する。      
【００４９】
（形状保持部材取付の詳細）
図１４は、服地に取り付けた第１から第３の形状保持部材の取付断面図である。
服地１４００１の内面に形状保持部材１４００２を取り付ける。さらに対象動物の肌への刺激のない保護部材で覆いかぶせるように服地１４００３に取り付ける。
ここでは、形状保持部材に保護部材を覆いかぶせて、2層とする方式を採用しているが、形状保持部材を中心に保護部材で囲んだ2層構造を採用し、2層構造の部材を服地に取り付ける方式を採用してもよい。
【００５０】
（形状保持部材の材料の種類）
ここで形状保持部材の材料として、予め対象動物として設定した動物の胴体断面を覆う形状に成形した形状記憶合金を採用する。
ここでは、上記形状保持部材の材料として、形状記憶合金を採用したが、本発明の形状保持部材の材料は、形状記憶合金に限られるものではない。上記形状保持部材の材料として、ピアノ線、ばね鋼、硬鋼、汎用エンジニアプラスティックスを採用してもよい。
あるいは、上記形状保持部材の材料として、可塑性素材であるスチールで作られた針金を採用してもよい。スチールに替えて、ステンレス、銅、アルミなどで上記針金の素材としてもよい。
【００５１】
（着衣のフロー）
図１５は、本実施例の動物用衣服を対象動物に着衣させる手順を示したフローチャートである。
前開き部開放ステップ１５００１において、動物用衣服の前開き部を飼い主等が開く。
開放の広さは、第１の形状保持部材から第３の形状保持部材のそれぞれに対応する胴回り経路に対応する胴部の断面を背中側方向から見た平行投影の投影図の長さまでで十分である。ここで形状保持部材の材料として形状記憶金属を採用しているので、飼い主等が形状記憶合金の端部を左右に広げる方向に力を加えることによる変形で前開き部を開放することが出来る。
【００５２】
被覆ステップ１５００２において、対象動物の飼い主等が、この対象動物の背中側を前合わせ部に滑り込ませるようにして、動物用衣服が対象動物に被せる。
図１６は、動物用衣服１６００１の前開き部１６００２に対象動物の背中側１６００３を滑り込ませようとしているところを示したイメージ図である。
矢印１６００４は、湾曲部より首肩側の服地部分を対象動物の首肩部に合わせようという着衣動作の動線を示している。矢印１６００５は、湾曲部より尻側の服地部分を対象動物の胴体部に合わせようとする着衣動作の動線を示している。
破線矢印１６００６、１６００７は、対象動物の首肩部を覆う服地部分の形状保持部材を成形するために設定した首肩部の胴体断面を背中側方向から見た平行投影するイメージを示している。線分１６００８は、平行投影することによりできた投影図である。被覆させるためには、この線分である投影図の長さまで、前開き部を開ければ十分である。
尚、肩と股関節との間の胴部に対応する形状保持部材については、実施例１の図６で示したような投影図の長さまで開ければ、十分である。
このようにして、対象動物の部位に服地を位置合わせして被せるだけで、形状記憶合金の復元力により、形状保持部材が服地全体を対象動物の首肩を含む胴部にフィットする被覆形状に戻るので、１５００１及び１５００２で示した２つのステップだけで着衣が完了する。
ここで形状記憶合金に替えて、ピアノ線、ばね鋼、硬鋼、汎用エンジニアプラスティックスを採用した場合は、採用した素材の弾性力により被覆形状に復元する。
【００５３】
（従来の着衣フローチャート）
図１７は、従来の動物用衣服を着衣する場合の手順を示したフローチャートである。
ここで従来の動物用衣服として想定するものは、前足を通す足通し孔が設けられた左右の身頃から構成され、左身頃の左外側と右身頃の右外側との合わせ部は、スナップボタンによって着脱自在に止める方式が採用されている動物用衣服である。
合わせ部開放ステップ１７００１において、飼い主等が、動物用衣服の合わせ部を開く。
足通しステップ１７００２において、飼い主等が、対象動物の前足を足通し孔に通す。
被覆ステップ１７００３において、飼い主等が、左右の身頃を対象動物に被せて被覆形状に整える。
合わせ部留めステップ１７００４において、飼い主等が、合わせ部のスナップボタンを留めて、着衣を完了させる。
【００５４】
このように本実施例の動物用衣服の着衣手順において、従来の着衣手順における足通しステップと前合わせ留めステップを省くことが出来、従来よりも容易に着衣させることが出来る。ここで本実施例の前開き部は、従来の着衣手順における合わせ部に相当する、対象動物が被覆形状内に出入りするための部位である。
【００５５】
（本実施例の形状保持部材の材料を針金とした場合の着衣フローチャート）
図１８は、本実施例の形状保持部材の材料を針金とした場合の着衣手順を示したフローチャートである。
前開き部開放ステップ１８００１において、動物用衣服の前開き部を飼い主等が開く。
開放の広さは、第１から第３の形状保持部材に対応する胴部断面を背中側方向から見た平行投影の投影図の長さまでで十分である。ここで形状保持部材の材料として可塑性素材であるスチールから作られた針金を採用しているので、飼い主等が針金の端部を左右に広げる方向に力を加えることによる変形で前開き部を開放することが出来る。
【００５６】
被覆ステップ１８００２において、対象動物の飼い主等が、この対象動物の背中側を前開き部に滑り込ませるようにして、左右身頃の湾曲部に前脚が収まるように動物用衣服が対象動物に被せる。
前開き閉じステップ１８００３において、動物用衣服の前開き部を飼い主等が閉じる。
ここで形状保持部材の材料として可塑性素材であるスチールから作られた針金を採用しているので、飼い主等が針金の端部に閉じる方向の力を加えることによる変形で前開き部を閉じることが出来る。
このようにして、対象動物に動物衣服を被せて、前開き部の針金に力を加えるだけで形状保持部材が服地全体を対象動物の胴部にフィットする被覆形状に変形できる。
【００５７】
形状保持部材の材料に針金を採用した本実施例の動物用衣服の着衣手順において、従来の着衣手順における足通しステップを省略できる。また、単に前開き部の針金に力を加えるだけの前開き閉じステップは、従来の手順における合わせ部を留めるステップよりも容易な作業である。
尚、スチールに替えて、ステンレス、銅、アルミなどを上記針金の素材としても、形状保持部材に同様の機能を持たせることができる。
【００５８】
（脱衣のフローチャート）
図１９は、本実施例の動物用衣服を対象動物に脱衣させる手順を示したフローチャートである。
前開き部開放ステップ１９００１において、動物用衣服の前開き部を飼い主等が開く。
開放の広さは、第１から第３の形状保持部材それぞれに対応する胴部断面を背中側方向から見た平行投影の投影図の長さまでで十分である。ここで形状保持部材の材料として形状記憶金属を採用しているので、飼い主等が形状記憶合金の端部を左右に広げる方向に力を加えることによる変形で前開き部を開放することが出来る。
飼い主等が形状記憶合金の端部を左右に広げる方向に力を加えることによる変形で前開き部を開放することが出来る。
この手順は、形状保持部材の材料を可塑性素材である針金とした場合でも同様である。
【００５９】
引き抜きステップ１９００２において、対象動物の飼い主等が、この対象動物の背中側から動物用衣服を引き出すことにより、動物用衣服を取り去ることができる。
このようにして、１９００１及び１９００２で示した２つのステップだけで脱衣が完了する。ここでは、形状保持部材の材料として可塑性素材から作られた針金を採用しても同様の手順で脱衣させることができる。
【００６０】
（従来の脱衣のフローチャート）
図２０は、従来の動物用衣服を脱衣する場合の手順を示したフローチャートである。
合わせ留め外しステップ２０００１において、飼い主等が、動物用衣服の合わせ部で留められたスナップボタンを外す。
足抜きステップ２０００２において、飼い主等が、対象動物の前足を足通し孔から抜く。
衣服取り去りステップ２０００３において、飼い主等が、対象動物から動物用衣服を取り去る。
【００６１】
このように本実施例の動物用衣服の脱衣手順において、従来の脱衣手順における足抜きステップを省くことができる。足抜きは、対象動物が暴れると、脱衣を困難にするので、足抜き手順の省略は、脱衣を顕著に容易にする効果がある。
また、合わせ留め外しは、スナップボタンを外す煩雑な作業を伴うのに比べ、前開き部開放は、単に前開き部を左右に外力を加えるだけの容易な作業である。したがって、合わせ留め外しから前開き部開放に作業に変更されることによって、脱衣手順を容易にする効果もある。
【産業上の利用可能性】
【００６２】
ペット用品産業、動物医療産業、動物介護産業において、ペット等の動物を世話する者の負担を軽減する商品が望まれる産業において利用される。
【符号の説明】
【００６３】
１００１    服地
１００３    左身頃
１００５    右身頃
１００７    前開き部
１００８    第1の形状保持部材
１００９    第2の形状保持部材
【図１】
2020080681.tif 000003
【図２】
2020080681.tif 000004
【図３】
2020080681.tif 000005
【図４】
2020080681.tif 000006
【図５】
2020080681.tif 000007
【図６】
2020080681.tif 000008
【図７】
2020080681.tif 000009
【図８】
2020080681.tif 000010
【図９】
2020080681.tif 000011
【図１０】
2020080681.tif 000012
【図１１】
2020080681.tif 000013
【図１２】
2020080681.tif 000014
【図１３】
2020080681.tif 000015
【図１４】
2020080681.tif 000016
【図１５】
2020080681.tif 000017
【図１６】
2020080681.tif 000018
【図１７】
2020080681.tif 000019
【図１８】
2020080681.tif 000020
【図１９】
2020080681.tif 000021
【図２０】
2020080681.tif 000022
【手続補正書】
【提出日】平成31年4月16日(2019.4.16)
【手続補正１】
【補正対象書類名】特許請求の範囲
【補正対象項目名】全文
【補正方法】変更
【補正の内容】
【特許請求の範囲】
【請求項１】
予め設定した対象動物の胴部を被覆する衣服であって、
ａ）左身頃の左外側と右身頃の右外側とで構成する前開き部を有し、該前開き部が開放となっている服地と、
ｂ）前記対象動物の肩直後の位置を通り前記左身頃の左外側から前記右身頃の右外側まで背中側を経由した胴体断面を囲む第一の胴回り経路と前記対象動物の股関節直前の位置を通り前記左身頃の左外側から前記右身頃の右外側まで背中側を経由した胴体断面を囲む第二の胴回り経路とに沿って、前記服地に取り付けられ、前記前開き部の所定位置を閉じた被覆形状に前記服地を保持する２つの形状保持部材と、
を構成要素に含み、
前記形状保持部材を形成する材料には、前記前開き部を閉じた被覆形状を記憶する形状記憶素材が含まれ、
前記形状保持部材は、外力により前記前開き部を少なくとも前記胴回り経路に対応する胴部が作る断面を背中側方向から平行投影した投影図の長さより開いた状態まで変形自在であって、前記前開き部に加えていた力を抜くだけで、前記形状記憶素材の復元力により前記服地を前記対象動物の胴部にフィットさせることを特徴とする動物用衣服。

【手続補正２】
【補正対象書類名】明細書
【補正対象項目名】０００９
【補正方法】変更
【補正の内容】
【０００９】
本発明の第一の観点によれば、予め設定した対象動物の胴部を被覆する衣服であって、
ａ）左身頃の左外側と右身頃の右外側とで構成する前開き部を有し、該前開き部が開放となっている服地と、
ｂ）前記対象動物の肩直後の位置を通り前記左身頃の左外側から前記右身頃の右外側まで背中側を経由した胴体断面を囲む第一の胴回り経路と前記対象動物の股関節直前の位置を通り前記左身頃の左外側から前記右身頃の右外側まで背中側を経由した胴体断面を囲む第二の胴回り経路とに沿って、前記服地に取り付けられ、前記前開き部の所定位置を閉じた被覆形状に前記服地を保持する２つの形状保持部材と、
から構成され、
前記形状保持部材を形成する材料には、前記前開き部を閉じた被覆形状を記憶する形状記憶素材が含まれ、
前記形状保持部材は、外力により前記前開き部を少なくとも前記胴回り経路に対応する胴部が作る断面を背中側方向から平行投影した投影図の長さより開いた状態まで変形自在であって、前記前開き部に加えていた力を抜くだけで、前記形状記憶素材の復元力により前記服地を前記対象動物の胴部にフィットさせることを特徴とする動物用衣服が提供される。
このような経路を選ぶことにより、着衣状態において、前記形状保持部材が前記服地を胴部にフィットさせる効果がある。
また、着衣や脱衣において、前記対象動物の脚と前記形状保持部材との干渉を少なくして、着衣や脱衣を容易にする効果がある。
【手続補正３】
【補正対象書類名】明細書
【補正対象項目名】００１２
【補正方法】変更
【補正の内容】
【００１２】
(削除)